(57)【要約】【課題】特別な操作を行わなくとも自動的に発電でき、かつ携帯性に優れたラジオ受信機を実現する。【解決手段】受信機本体１２は、プラスチック等からなるリング状の形状で身体に装着できるようになっている。受信機本体１２は中空の構造を有しており、内部にプラスチックのパイプ等からなる中空のリング状部材１３が挿入されている。リング状部材１３の外周にはコイル１４が巻かれており、内部には磁石１５が移動可能に挿入されている。コイル１４の両端は蓄電池１７に接続されており、磁石１４の移動により誘起される電圧で蓄電池１７が充電される。【選択図】      図１
2005340927.tif 000002
【特許請求の範囲】
【請求項１】
身体に装着可能なリング状の形状の本体と、
前記本体または本体の内側に巻かれたコイルと、
前記コイルの内部に移動可能に挿入された磁性体と、
前記磁性体の移動により前記コイルに発生する電力を蓄電する蓄電池と、
前記蓄電池を電源として利用するラジオ受信部とからなる自己発電機能付携帯型ラジオ受信機。
【請求項２】
身体に装着可能なリング状の形状の本体と、
前記前記リング状の本体または本体の内側に巻かれたコイルと、
前記コイルの内部に移動可能に挿入された磁性体と、
前記磁性体の移動により前記コイルに発生する電力を蓄電する蓄電池と、
前記コイルをＡＭまたはＦＭアンテナとして利用すると共に、前記蓄電池を電源として利用するラジオ受信部とからなる自己発電機能付携帯型ラジオ受信機。
【請求項３】
身体に装着可能なリング状の形状の本体と、
前記本体の内側に回転可能に取り付けられ、一部に重量の大きい部分を設けたリング状の回転部材と、
前記回転部材と接触し、該回転部材の回転により発電する発電機構と、
前記発電機構で発電された電力を蓄電する蓄電池と、
前記蓄電池を電源として利用するラジオ受信部とからなる自己発電機能付携帯型ラジオ受信機。
【請求項４】
身体に装着可能なリング状の形状の本体と、
前記本体の内側に回転可能に取り付けられ、一部に重量が大きい部分を設けたリング状の回転部材と、
前記回転部材と接触し、該回転部材の回転により発電する発電機構と、
前記発電機構で発電された電力を蓄電する蓄電池と、
前記本体の内側に巻かれたコイルと、
前記コイルをＦＭまたはＡＭアンテナとして利用すると共に、前記蓄電池を電源として利用するラジオ受信部とからなる自己発電機能付携帯型ラジオ受信機。
【請求項５】
前記本体の内部に中空のリング状部材を設け、前記コイルは前記リング状部材の外周に巻回され、前記磁性体は前記リング状部材の内部に移動可能に挿入されている請求項１または２記載の自己発電機能付携帯型ラジオ受信機。
【請求項６】
前記ラジオ受信部は、骨伝導スピーカを有する請求項１乃至５のいずれか１項に記載の自己発電機能付携帯型ラジオ受信機。
【発明の詳細な説明】
【技術分野】
【０００１】
本発明は、身体に装着して使用する携帯型ラジオ受信機に関する。
【背景技術】
【０００２】
災害発生時等の情報収集手段としてラジオ受信機は有効な手段である。ラジオ受信機は日常的には使用しないことが多いので電池の消耗に気づかず、必要な時に使用できないことも考えられる。そのため、発電機能を有するラジオが種々提案されている。
特許文献１には、円筒状のケースの中にコイルを挿入し、そのコイルの中に往復動する永久磁石を入れ、使用者がケースを上下または左右に振ることにより発電させる構造のラジオ受信機が記載されている。
【０００３】
また、特許文献２には、ラジオ受信機の主面に折り畳み可能な回転レバーを設け、使用者がその回転レバーを操作して発電させる構造のラジオ受信機が記載されている。
また、特許文献３には、イヤホーン収納式の携帯型ラジオ受信機において、イヤホーンを引き出す操作により発電する機構を設けることが記載されている。
【特許文献１】特開平８−１８４６６号公報
【特許文献２】特開平１１−７５３４４号公報
【特許文献３】特開平８−２６５８８９号公報
【発明の開示】
【発明が解決しようとする課題】
【０００４】
従来の発電機能を有するラジオ受信機は、発電するために筒状の本体を振る、発電機の回転レバーを回転させる、あるいはイヤホーンを引き出す等の操作を行う必要があり、あまり使い勝手のよいものではなかった。また、発電のための構造が必要なことから携帯しやすい形状ではなかった。
【０００５】
また、従来、音声出力手段としてスピーカを使用することが一般的であるが、スピーカを駆動するための消費電力が大きいという問題点もあった。
他方、半導体技術の進歩により、従来複数のＩＣが必要であったＦＭ、ＡＭ受信機の回路を１個のＩＣで実現できるようになっている。ラジオ受信機を小型化するためには、回路の集積度を高めるだけではなくアンテナを小型化することが必要である。そのため、イヤホーンのコードをＦＭアンテナとして利用することが考えられているが、その場合、イヤホーンを使用することが必須条件となってしまい、イヤホーンを使用せずに聞きたいというユーザの要望に答えることができなかった。
【０００６】
さらに、従来の携帯型ラジオ受信機は受信機本体を洋服のポケットやカバンに入れて持ち運ぶ必要があり携帯性に優れているとは言えない。
本発明の課題は、特別な操作を行わなくとも自動的に発電でき、かつ携帯性に優れたラジオ受信機を実現することである。また、イヤホーンを使用せずに聞くことのできる携帯型ラジオ受信機を実現することである。さらに、他の課題は、外部アンテナを使用せずに受信可能で、かつ携帯性に優れたラジオ受信機を実現することである。
【課題を解決するための手段】
【０００７】
本発明の自己発電機能付き携帯型ラジオ受信機は、身体に装着可能なリング状の形状の本体と、前記本体または本体の内側に巻かれたコイルと、前記コイルの内部に移動可能に挿入された磁性体と、前記磁性体の移動により前記コイルに発生する電力を蓄電する蓄電池と、前記蓄電池を電源として利用するラジオ受信部とを備える。
【０００８】
この発明によれば、身体を動かす動作により本体内部の磁性体が移動し、それにより発電するので発電のための特別な操作を行う必要がない。また、ラジオ受信機を身体に装着して使用できるので携帯性に非常に優れている。
本発明の他の自己発電機能付携帯型ラジオ受信機は、身体に装着可能なリング状の形状の本体と、前記前記リング状の本体または本体の内側に巻かれたコイルと、前記コイルの内部に移動可能に挿入された磁性体と、前記磁性体の移動により前記コイルに発生する電力を蓄電する蓄電池と、前記コイルをＡＭまたはＦＭアンテナとして利用すると共に、前記蓄電池を電源として利用するラジオ受信部とを備える。
【０００９】
この発明よれば、身体を動かす動作により本体内部の磁性体が移動し、それにより発電するので、発電のための特別な操作を行う必要がない。また、ラジオ受信機を身体に装着して使用できるので携帯性に非常に優れている。さらに、発電に用いるコイルをＦＭまたはＡＭアンテナとして利用しているので、イヤホーン等による外部アンテナが不要となると共に、発電のためのコイルをアンテナとして利用することで受信機内部のスペースを有効に活用できる。
【００１０】
本発明の他の自己発電機能付携帯型ラジオ受信機は、身体に装着可能なリング状の形状の本体と、前記本体の内側に回転可能に取り付けられ、一部に重量の大きい部分を設けたリング状の回転部材と、前記回転部材の回転力により発電する発電機構と、前記発電機構で発電された電力を蓄電する蓄電池と、前記蓄電池を電源として利用するラジオ受信部とを備える。
【００１１】
この発明によれば、身体を動かす動作により受信機本体内部の回転部材が回転し、その回転力により発電機構が発電するので、ユーザは発電のための特別な操作を行う必要がない。また、ラジオ受信機を身体に装着して使用できるので携帯性に非常に優れている。
本発明の他の自己発電機能付携帯型ラジオ受信機は、身体に装着可能なリング状の形状の本体と、前記本体の内側に回転可能に取り付けられ、一部に重量の大きい部分を設けたリング状の回転部材と、前記回転部材の回転力により発電する発電機構と、前記発電機構で発電された電力を蓄電する蓄電池と、前記本体の内側に巻かれたコイルと、前記コイルをＦＭまたはＡＭアンテナとして利用すると共に、前記蓄電池を電源として利用するラジオ受信部とを備える。
【００１２】
この発明によれば、身体を動かす動作で回転部材が回転し、その回転力により発電機構が発電するので、ユーザは発電のための特別な操作を行う必要がない。また、ラジオ受信機を身体に装着して使用できるので携帯性に非常に優れている。さらに、本体の内側にコイルを巻き、そのコイルをＦＭまたはＡＭアンテナとして利用することで外部アンテナが不要となる。
【００１３】
本発明の他の態様は、前記コイルは前記本体内部の中空のリング状部材の外周に巻回され、前記磁性体は前記リング状部材の内部に挿入されている。
このように構成することでリング状部材の内部に磁性体を挿入し、外周部にコイルを巻回し、リング状部材を本体に挿入することで簡単な構造で発電機構を実現できる。
【００１４】
本発明の他の態様は、前記ラジオ受信部は骨伝導スピーカを有する。
このように構成することで受信機本体を身体に装着した状態で、骨伝導スピーカを体に接触させることでラジオ放送を聞くことができるので、イヤホーン等が不要となり使い勝手が向上する。
【発明の効果】
【００１５】
本発明によれば、ラジオ受信機を身体に装着して体を動かすことで発電を行わせることができるので、使用者が発電のための特別な操作を行う必要がない。また、ラジオ受信機を身体に装着して使用できるので携帯性に非常に優れている。さらに、受信機本体または本体の内側に巻かれたコイルをＦＭまたはＡＭアンテナとして利用することで外部アンテナが不要となる。
【発明を実施するための最良の形態】
【００１６】
以下、本発明の実施の形態を図面を参照しながら説明する。図１は、本発明の第１の実施の形態の自己発電機能付携帯型ラジオ受信機（以下、ラジオ受信機という）１１の内部構造とラジオ受信部の構成を示す図である。
図１において、ラジオ受信機１１は、受信機本体１２とラジオ受信部１６とから構成されている。
【００１７】
受信機本体１２は、プラスチック等からなるリング状の形状で身体に装着して使用できる。受信機本体１２は中空の構造を有しており、内部にプラスチックのパイプ等からなる中空のリング状部材１３が挿入されている。受信機本体１２は、例えば、腕または指に装着するブレスレットまたは指輪の形状をしている。
【００１８】
リング状部材１３の外周にはコイル１４が巻かれており、内部には磁石（磁性体）１５が移動可能に挿入されている。コイル１４の両端は二次電池等の蓄電素子からなる電源部の蓄電池１７に接続され、コイル１４に誘起される電圧が蓄電池１７に供給されて蓄電池１７が充電される。またコイル１４の一端がラジオ受信回路１８に接続されてアンテナとして機能している。
【００１９】
ラジオ受信部１６は、蓄電池１７と、ラジオ受信回路１８と、音声出力部（骨伝導スピーカ）１９とからなる。
次に、以上のような構成のラジオ受信機１１の動作を説明する。受信機本体１２を腕に装着した状態で歩行、あるいは何らかの動作を行うと、リング状部材１３の外周のコイル１４の中を磁石１５が左右に移動し、それによりコイル１４の両端に電圧が発生する。発生した電圧は、電力として蓄電池１７に蓄電される。
【００２０】
また、ラジオ受信回路１８は、コイル１４がアンテナとして接続されているので、そのコイル１４によりＦＭまたはＡＭの放送波を受信して増幅する。増幅された信号は骨伝導スピーカ１９から音声として出力される。この骨伝導スピーカ１９を耳の近くで体に接触させることでラジオ放送を聞くことができる。
【００２１】
上述した第１の実施の形態によれば、受信機本体１２を身体に装着して体を動かすことにより、発電のために特別の操作を行わなくとも、ラジオ受信機１１の蓄電池１７を常に充電することができる。
また、身体に装着できる形状にすることで、ラジオ受信機１１を服のポケット、あるいはカバン等に入れて携帯する必要がなくなり携帯性が向上する。さらに、発電に用いるコイル１４をアンテナとして使用することで、外部アンテナが不要となるばかりでなく、受信機本体１２内部のコイル１４の設置スペースをアンテナの設置スペースとして利用できるのでスペースを有効に活用できる。また、骨伝導スピーカ１９を用いているのでイヤホーン等を使用する必要がなくなり使い勝手が向上する。
【００２２】
なお、上述した第１の実施の形態では、リング状部材１３の外周にコイル１４を巻回するような構造にしたが、他の構造を採用しても良い。例えば、プラスチック等からなる受信機本体１２にコイル１４をインサートして内部にリング状の孔を形成し、その孔の中に磁石１５を移動可能に挿入するようにしても良い。この場合、リング状部材１３は不要となる。
【００２３】
次に、図２は、本発明の第２の実施の形態の自己発電機能付携帯型ラジオ受信機２１の内部構造を示す図である。
この第２の実施の形態は、ダイナモを用いて発電するリング状の形状のラジオ受信機２１に関するものである。
【００２４】
受信機本体２２は、プラスチック等からなり、リング状の形状で中空の構造となっている。その中空の部分には、プラスチック等からなるリング状の回転部材２３が回転可能に挿入されている。この回転部材２３には、プラスチック等より比重の大きい金属等の材料からなる重り２４がインサートされている。このように回転部材２３の一部に重量が大きい部分を設けることで回転部材２３の重心に偏りが生じ、自重により回転するようにしている。なお、受信機本体２２と回転部材２３との間には、図示していないがベアリング等が設けられており、摩擦による回転部材２３の回転の減衰を少なくしている。
【００２５】
回転部材２３はダイナモ（発電機構）２５と接触しており、回転部材２３の回転によりダイナモ２５が回転して発電する。
受信部２６は、図１の受信部１６と同様に、蓄電池を含む電源部１７と、ラジオ受信回路１８と骨伝導スピーカ１９とからなる。
【００２６】
次に、以上のような構成の第２の実施の形態のラジオ受信機２１の動作を説明する。受信機本体２２を腕などに装着して手を振る等の動作をすると、回転部材２３の重り２４のインサートされている部分が位置エネルギーの小さくなる方向に移動する。その結果、回転部材２３に回転力が生じ、その回転力によりダイナモ２５が発電する。
【００２７】
すなわち、使用者が歩行する際などに腕を振ることにより、回転部材２３が左右に回転し、それによりダイナモ２５が発電し、発電により得られた電力が蓄電池１７に蓄電される。
上述した第２の実施の形態によれば、受信機本体２２を身体に装着して体を動かすことで、発電のための特別の操作を行わなくとも、ラジオ受信機２１の蓄電池１７を常に充電することができる。また、身体に装着できる形状にすることで、ラジオ受信機１１を服のポケット、あるいはカバン等に入れて携帯する必要がなくなり携帯性が向上する。さらに、骨伝導スピーカ１９を用いているのでイヤホーン等を使用する必要がなくなり使い勝手が向上する。
【００２８】
次に、本発明の第３の実施の形態を説明する。この第３の実施の形態は、図２の発電機構と、図１のコイル１４を用いたアンテナとを備えるものである。
第３の実施の形態では、受信機本体２２の内部にリング状の孔を設け、リング状の孔に回転部材２３を挿入する。また、受信機本体２２の外周２２ａまたは内周２２ｂにコイル１４をインサートする。あるいは、受信機本体２２を上下に分割できる構造にして、コイル１４を挿入した後、回転部材２３を挿入する。
【００２９】
この第３の実施の形態によれば、上述した第２の実施の形態の効果に加え、コイル１４をアンテナとして利用することで外部アンテナが不要となる。また、発電機構を設けるためのスペースを利用してアンテナを設置できるので、受信機本体２２の内部のスペースを有効に活用できる。
【００３０】
本発明は上述した実施の形態に限らず、例えば、以下のように構成しても良い。
（１）本発明は、ブレスレットに限らず、指輪、イヤリング等身体に装着でき、かつリング状の形状であればどのようなものにも適用できる。
（２）骨伝導スピーカ１９は受信機本体に固定する構造のもに限らず、骨伝導スピーカ１９を本体から着脱できる構造にしても良い。その場合、ラジオ受信機から骨伝導スピーカ１９に近距離無線通信による信号を送信すれば良い。
【図面の簡単な説明】
【００３１】
【図１】第１の実施の形態のラジオ受信機１１の構造を示す図である。
【図２】第２の実施の形態のラジオ受信機２１の構造を示す図である。
【符号の説明】
【００３２】
１１，２１        ラジオ受信機
１２，２２        受信機本体
１３              リング状部材
１４              コイル
１５              磁石
１６，２６        ラジオ受信部
１７              蓄電池
１８              ラジオ受信回路
１９              骨伝導スピーカ
２３              回転部材
２４              重り
【図１】
2005340927.tif 000003
【図２】
2005340927.tif 000004